(57)【特許請求の範囲】
【請求項１】
ＰＣＢ製の第一ボードと、該ＰＣＢ製の第一ボードの両面にプリントされた第一ボード電気回路と、ダイバーシティアンテナと、を備える無線端末において、
前記ＰＣＢ製の第一ボードの一端部に前記ダイバーシティアンテナが配置され、前記ＰＣＢ製の第一ボードの前記両面上の前記第一ボード電気回路に第１の第一ボード金属遮蔽カバー及び第２の第一ボード金属遮蔽カバーがそれぞれ配置され、前記ＰＣＢ製の第一ボードの他端部側の側面に放射体がプリントされ、前記放射体と前記第一ボード電気回路とが前記ＰＣＢ製の第一ボードのうちの異なる領域に位置しており、前記放射体が前記第１の第一ボード金属遮蔽カバーにも前記第２の第一ボード金属遮蔽カバーにも接触してなく、前記第１の第一ボード金属遮蔽カバー及び前記第２の第一ボード金属遮蔽カバーのうちの少なくとも一方に第１の電波吸収シートが取り付けられており、
前記第１の第一ボード金属遮蔽カバー又は前記第２の第一ボード金属遮蔽カバーの外側に配置されたＰＣＢ製の第二ボードをさらに備え、前記ＰＣＢ製の第二ボードがコネクタを介して前記ＰＣＢ製の第一ボードに接続され、前記ＰＣＢ製の第二ボードの１つの側面であって前記第１の第一ボード金属遮蔽カバー又は前記第２の第一ボード金属遮蔽カバーから離間されている側面に第二ボード電気回路がプリントされ、前記第二ボード電気回路上に第二ボード金属遮蔽カバーが配置され、前記第二ボード金属遮蔽カバーに第２の電波吸収シートが取り付けられており、
前記第２の第一ボード金属遮蔽カバー及び前記第二ボード金属遮蔽カバーの側縁に第４の電波吸収シートが取り付けられる、ことを特徴とする無線端末。
【請求項２】
前記第１の電波吸収シートが、前記第１の第一ボード金属遮蔽カバー及び前記第２の第一ボード金属遮蔽カバーのうちの少なくとも一方の一端部の縁に取り付けられることを特徴とする、請求項１に記載の無線端末。
【請求項３】
前記第１の第一ボード金属遮蔽カバー及び前記第２の第一ボード金属遮蔽カバーのエッジであって前記放射体に近い方のエッジと、前記放射体と、の間の距離が、０．５ｍｍから１．０ｍｍであることを特徴とする、請求項１又は２に記載の無線端末。
【請求項４】
前記第２の電波吸収シートが、前記第２の第一ボード金属遮蔽カバーの一端部であって前記放射体に近い方の端部の縁に取り付けられていることを特徴とする、請求項１に記載の無線端末。
【請求項５】
前記ＰＣＢ製の第一ボード１にＵＳＢケーブル及び金属シートを介して接続されたＵＳＢヘッドをさらに備えることを特徴とする、請求項１から４のうちのいずれか一項に記載の無線端末。
【請求項６】
前記ＵＳＢケーブルが、前記ＰＣＢ製の第一ボード上のＵＳＢケーブル遮蔽パッドを介して前記ＰＣＢ製の第一ボードに接続されており、前記ＵＳＢケーブル遮蔽パッドに第３の電波吸収シートが取り付けられることを特徴とする、請求項５に記載の無線端末。
【請求項７】
前記ＵＳＢケーブルが、一対の信号線と一対の電源線とを備えることを特徴とする、請求項５に記載の無線端末。
【発明の詳細な説明】
【技術分野】
【０００１】
本発明は、２０１１年８月３１日に「無線端末」という発明の名称で中国特許庁に出願された中国特許出願第２０１１１０２５５６５３．０号に基づく優先権を主張するものであって、その先の出願は、その全てが参照されて本願に組み込まれる。
【０００２】
本願は、通信分野に関するものであり、特に、無線端末に関するものである。
【背景技術】
【０００３】
比吸収率（Specific Absorption Rate：ＳＡＲと称される）とは、無線通信端末の電磁波エネルギーが吸収される比率をいう。それは、無線通信端末が身体に近づくときの電磁放射線の強度を測定するための指標として一般に使用されている。より大きいＳＡＲ値は人体に対するより大きい影響を意味しており、これに反して、前記影響はより小さい。ＳＡＲは、多くの国々や地域における端末業者によって製品の梱包や説明書に示された内容の１つとなっている。
【０００４】
例えば携帯電話やデータカード、タブレットＰＣ等の無線通信デバイスがますます人々の生活に入り込むと、人々は次第に、彼らが無線通信デバイスによってもたらされる様々な利便性を享受しているときにそのような通信デバイスから発生する電磁放射線が身体の健康に悪影響を及ぼすことに気付くことになる。例えば、過剰な電磁放射線は、人間の中枢神経系の機能障害を引き起こしたり、例えば頭痛や不眠症等の症状をもたらしたりする。現在のところ、無線端末のＳＡＲ値の過剰な基準が産業界で大きな問題となっている。無線端末のＳＡＲ値は、テスト距離（電波放射体と人体模型との間の距離）及び電波出力に関連しており、つまり、電波出力が同じである場合には、テスト距離を小さくすればするほどＳＡＲ値が大きくなる。したがって、前述の問題を解決するため、無線端末業者は、一般に下記の解決方法を、すなわち、無線端末の電波出力を小さくすること、及び、端末全体の厚さを増大させること（テスト距離を間接的に増大させること）を採用している。
【発明の概要】
【発明が解決しようとする課題】
【０００５】
しかしながら、無線端末の電波出力が低下し、それによって無線端末の無線性能が低下すると、無線放射電力（Total Radiation Power：ＴＲＰと称される）が減少するようである。端末全体の厚さを増大させることは、無線端末が小型、極薄で携帯可能である傾向の中で、使用者の使用体験（use experience）に影響を及ぼし、そのため、端末全体の厚さを増大させることは使用者に受け入れられない。
【０００６】
本発明の実施形態において解決される技術上の課題は、無線端末の無線性能及び使用者の使用体験に影響を及ぼさない前提のもと、ＳＡＲ値を効果的に低減させ、それにより、人体に対する電磁放射線の影響を低減させることができる無線端末を提供することである。
【課題を解決するための手段】
【０００７】
前述の技術上の課題を解決するため、本発明の実施形態は、下記の技術的な解決手段を採用する。
【０００８】
無線端末は、ＰＣＢ製の第一ボードと、該ＰＣＢ製の第一ボードの両面にプリントされた第一ボード電気回路と、ダイバーシティアンテナと、を備えており、前記ダイバーシティアンテナが、前記ＰＣＢ製の第一ボードの端部に配置され、前記ＰＣＢ製の第一ボードの両面上の前記第一ボード電気回路には、第１の第一ボード金属遮蔽カバー及び第２の第一ボード金属遮蔽カバーがそれぞれ配置され、前記ＰＣＢ製の第一ボード１の少なくとも１つの側面には放射体がプリントされ、前記放射体と前記第一ボード電気回路とは、前記ＰＣＢ製の第一ボードのうちの異なる領域に位置しており、前記放射体は、前記第１の第一ボード金属遮蔽カバーにも前記第２の第一ボード金属遮蔽カバーにも接触してなく、前記第１の第一ボード金属遮蔽カバー若しくは前記第２の第一ボード金属遮蔽カバー、又はその両方には、第１の電波吸収シートが取り付けられている。
【発明の効果】
【０００９】
第１の電波吸収シートを第１の第一ボード金属遮蔽カバー若しくは第１の第一ボード金属遮蔽カバー、又はその両方に取り付けることにより、本発明の実施形態に係る無線端末は、無線端末の無線性能及び使用者の使用体験に影響を及ぼさない前提のもと、ＳＡＲ値を効果的に低減させることができ、それにより、人体に対する電磁放射線の影響が減少される。
【図面の簡単な説明】
【００１０】
本発明の実施形態における、又は先行技術における技術的な解決手段をより明確に説明するために、下記のとおり、実施形態の説明に必要である添付図面について簡潔に記載する。下記の説明における添付図面は、単なる本発明のいくつかの実施形態であり、当業者であれば、創造的な取り組みを行うことなく、これらの添付図面から他の添付図面を得ることが可能である。
【００１１】
【図１】図１は本発明の実施形態に係る無線端末の前面図である。
【図２】図２は本発明の実施形態に係る無線端末の上面図である。
【図３】本発明の実施形態に係るＰＣＢ製の第二ボードを有する無線端末の第一の上面図である。
【図４】本発明の実施形態に係るＰＣＢ製の第二ボードを有する無線端末の第二の上面図である。
【発明を実施するための形態】
【００１２】
本発明の実施形態は、無線端末の無線性能に影響を及ぼさない前提のもと、ＳＡＲ値を効果的に低減させることができる無線端末を提供する。
【００１３】
下記のとおり、添付図面を参照しながら本発明の実施形態を詳細に説明する。
【００１４】
図１及び図２に示すように、この実施形態で提供される無線端末は、ＰＣＢ製の第一ボード１と、ＰＣＢ製の第一ボード１の両面にプリントされた第一ボード電気回路と、ダイバーシティアンテナ１０とを備えており、ダイバーシティアンテナ１０は、ＰＣＢ製の第一ボード１の端部に配置される。また、本発明における第一ボード電気回路は、ＰＣＢ製の第一ボード１の１つの側面（one side panel）にだけ配置されてもよい。
【００１５】
第１の第一ボード金属遮蔽カバー２１及び第２の第一ボード金属遮蔽カバー２２は、ＰＣＢ製の第一ボード１の両面上の第一ボード電気回路にそれぞれ配置される。第１の第一ボード金属遮蔽カバー２１及び第２の第一ボード金属遮蔽カバー２２の機能は、その金属遮蔽カバーで覆われた第一ボード電気回路を外部からの電磁妨害から保護することである。放射体３は、ＰＣＢ製の第一ボード１の少なくとも１つの側面にプリントされており、実際の要求に従って、放射体３は、ＰＣＢ製の第一ボード１の１つの側面にだけプリントされてもよく、或いは、ＰＣＢ製の第一ボード１の２つの側面にプリントされてもよい。放射体３と第一ボード電気回路とは、ＰＣＢ製の第一ボード１のうちの異なる領域に位置しており、つまり、放射体３と第一ボード電気回路とは、ＰＣＢ製の第一ボード１上で重なる領域を有していない。放射体３と第１の第一ボード金属遮蔽カバー２１とは互いに接触してなく、また、放射体３と第２の第一ボード金属遮蔽カバー２２とも互いに接触していない。さらに、第１の第一ボード金属遮蔽カバー２１及び第２の第一ボード金属遮蔽カバー２２のエッジ位置であって放射体３に近い方のエッジ位置と、放射体３と、の間の距離は、０．５ｍｍから１．０ｍｍが最適である。
【００１６】
この実施形態では、放射体３の電磁放射線を減少させるために、第１の電波吸収シート４１が、第１の第一ボード金属遮蔽カバー２１若しくは第２の第一ボード金属遮蔽カバー２２、又はその両方に取り付けられており、つまり、第１の電波吸収シート４１が、ＰＣＢ製の第一ボード１の少なくとも１つの側面に取り付けられている。１つの第１の電波吸収シートを取り付けるか、或いは２つの第１の電波吸収シートを取り付けるかどうかは、現実の実際状況、指標要件等に従って合理的に選択され得る。この実施形態における電波吸収シートは、所定の厚さを有すると共に電波吸収性材料で製造されたシート形状の物体を意味する。
【００１７】
放射体３は、通常、放射線場及び誘導磁場に分けられ、放射線場及び誘導磁場から生み出されるエネルギーは各々、遠距離場エネルギー（far-field energy）および近距離場エネルギー（near-field energy）と呼ばれる。近距離場エネルギーは、人体に害を与える主なエネルギーである。調査によると、放射体３の近距離場エネルギーは、図１に示すような中央に集めるやり方で供給点３１の近くに分配されて、そして、第１の第一ボード金属遮蔽カバー２１又は第２の第一ボード金属遮蔽カバー２２の領域まで及ぶ。電波吸収シートが近距離場エネルギーを吸収するとき、遠距離場エネルギーにほとんど影響を及ぼさない。したがって、放射体３の放射電力を変えないことを保証してできるだけ多く近距離場エネルギーを吸収するとき、この実施形態では、近距離場エネルギーを吸収するために第１の電波吸収シート４１が第１の第一ボード金属遮蔽カバー２１若しくは第２の第一ボード金属遮蔽カバー２２、又はその両方に取り付けられる。
【００１８】
さらに、図２に示すように、放射体３の近距離場エネルギーをより吸収するために、第１の電波吸収シート４１が、第１の第一ボード金属遮蔽カバー若しくは第２の第一ボード金属遮蔽カバー、又はその両方の一方の端部であって放射体に近い方の端部の縁に取り付けられている。このようにして、第１の電波吸収シートが近距離場エネルギーを最大限に吸収することができる。
【００１９】
図３に示すように、この実施形態において提供される無線端末は、第一ボード金属遮蔽カバー２１又は第２の第一ボード金属遮蔽カバー２２の外側にＰＣＢ製の第二ボード５をさらに備えており、つまり、第一ボード金属遮蔽カバー２１又は第２の第一ボード金属遮蔽カバー２２が、ＰＣＢ製の第一ボード１とＰＣＢ製の第二ボード５との間に配置されている。回路設計において、ＰＣＢ製の第一ボード１に、必要な電子部品を配置するのに十分なスペースが無いとき、回路の完全性を確保するためにＰＣＢ製の第二ボード５が追加されてもよい。ＰＣＢ製の第二ボード５はコネクタを介してＰＣＢ製の第一ボード１に接続されており、前記コネクタとしてはＢＴＢ（Board To Board）がある。第二ボード電気回路は、ＰＣＢ製の第二ボード５の１つの側面（one side panel）であって、第一ボード金属遮蔽カバー２１又は第２の第一ボード金属遮蔽カバー２２から離間されている側面にプリントされており、第二ボード金属遮蔽カバー６が第二ボード電気回路上に配置されており、第二ボード金属遮蔽カバー６の機能は、内側に覆われた第二電気回路を外部からの電磁妨害から保護することでもある。第２の電波吸収シート４２は、第二ボード金属遮蔽カバー６に取り付けられている。さらに、近距離場エネルギーをより吸収するために、第２の電波吸収シート４２は、第二ボード金属遮蔽カバー６の一端部であって放射体３に近い方の端部の縁に取り付けられている。
【００２０】
この実施形態において提供された無線端末は、ＵＳＢケーブル８及び金属シート９を介してＰＣＢ製の第一ボード１に接続されたＵＳＢヘッド７をさらに備えており、前記ＵＳＢケーブル８は、一対の信号線と一対の電源線とを備えている。使用者の利用を容易にするため、本発明の実施形態のように、ＵＳＢヘッド７が２Ｄ回転構造であって、ＵＳＢヘッド７とＵＳＢケーブル８との間に配置された第１の回転軸７１と、金属シート９とＰＣＢ製の第一ボード１との間に配置された第２の回転軸７２と、を含む。
このようにして、ＵＳＢヘッド７はＰＣＢ製の第一ボード１に対して相対的に１８０度まで回転でき、使用者の利用を非常に容易にする。
【００２１】
ＵＳＢケーブル８は、ＰＣＢ製の第一ボード１上のＵＳＢケーブル遮蔽パッド８１を介してＰＣＢ製の第一ボード１に接続されており、つまり、ＵＳＢケーブル８は、ＰＣＢ製の第一ボード１上のＵＳＢケーブル遮蔽パッド８１に溶接されている。近距離場エネルギーをさらに吸収するために、第３の電波吸収シート４３がＵＳＢケーブル遮蔽パッド８１にさらに取り付けられてもよい。
【００２２】
さらに、図４に示すように、第４の電波吸収シート４４が、第２の第一ボード金属遮蔽カバー２２及び第二ボード金属遮蔽カバー６の側縁にさらに取り付けられてもよく、それにより、近距離場エネルギーがさらに吸収される。また、電波吸収シートが、第１の第一ボード金属遮蔽カバー２１の側縁にも取り付けられてもよい。
【００２３】
また、この実施形態における電波吸収性シートの位置は、前述の４つの位置に限定されず、電波吸収性シートは、放射体３に直接取り付けられることを除いて、放射体３の周りの如何なる位置に取り付けられてもよい。
【００２４】
非常に多くの実験によって実証されているように、電波吸収性シートが前述の方法に従って取り付けられた後、放射電力が基本的に変化していないままである場合には無線端末のＳＡＲ値が効果的に減少する。
【００２５】
第１の電波吸収シートを第１の第一ボード金属遮蔽カバー若しくは第１の第一ボード金属遮蔽カバー、又はその両方に取り付けることにより、この実施形態に係る無線端末は、無線端末の無線性能及び使用者の使用体験に影響を及ぼさない前提のもと、ＳＡＲ値を効果的に低減させることができ、それにより、人体に対する電磁放射線の影響が減少される。さらに、この実施形態では、第１の電波吸収シートが、第１の第一ボード金属遮蔽カバー若しくは第１の第一ボード金属遮蔽カバー、又はその両方の端部であって放射体に近い方の端部の縁に取り付けられており、それにより、第１の電波吸収シートの最大の吸収性効果を得ることができる。
【００２６】
実施形態の前述の説明によって、当業者は、本発明が、ソフトウェアと必要な万能なハードウェアとを組み合わせて達成されることができるし、当然にハードウェアによって達成されることもできるが、多くの場合に前者が実施されることを明確に理解できる。そのような理解に基づいて、本発明の技術的な解決手段は、本質的に、又は、先行技術に対する貢献する部分が、ソフトウェア製品の形で具現化されてもよい。コンピュータソフトウェアは、例えばコンピュータのフロッピーディスク（登録商標）やハードディスク、コンパクトディスク等の読み込み可能な記憶媒体に記憶されており、コンピュータ装置（パーソナルコンピュータ、サーバー、ネットワークデバイス、およびそれに類するもの）に指示して本発明の実施形態に記載された方法を実行するための様々な指令を含む。
【００２７】
前述の説明は、単なる本発明の例示的な実施形態であり、本発明の保護範囲を限定するためのものではない。本発明の技術範囲から逸脱することなく当業者が容易に考えられる変更や置換は、当然に本発明の保護範囲の中に含まれるべきである。したがって、本発明の保護範囲は、添付された特許請求の範囲の保護範囲によって決定されるべきである。
【符号の説明】
【００２８】
１・・・ＰＣＢ製の第一ボード
２１・・・第１の第一ボード金属遮蔽カバー
２２・・・第２の第一ボード金属遮蔽カバー
３・・・放射体（radiator）
３１・・・供給点（feed-point）
４１・・・第１の電波吸収シート
４２・・・第２の電波吸収シート
４３・・・第３の電波吸収シート
４４・・・第４の電波吸収シート
５・・・ＰＣＢ製の第二ボード
６・・・第二ボード金属遮蔽カバー
７・・・ＵＳＢヘッド
７１・・・第１の回転軸
７２・・・第２の回転軸
８・・・ＵＳＢケーブル
８１・・・ＵＳＢケーブル遮蔽パッド
９・・・金属シート
１０・・・ダイバーシティアンテナ
【図１】
0005664885.tif 000002
【図２】
0005664885.tif 000003
【図３】
0005664885.tif 000004
【図４】
0005664885.tif 000005